(57)【特許請求の範囲】
【請求項１】
画像および該画像の付帯情報を含む撮影画像情報が複数供給され、該供給された複数の撮影画像情報が担持する各画像を、１つ以上の見開きページ部に亘って予め定められた表示順に一覧表示してインデックスアルバム冊子を作成するインデックスアルバム冊子作成装置であって、
前記１つ以上の見開きページ部に含まれる所定数の見開きページ部からなる見開きページ部単位に表示させる複数の画像のうちの所定数の画像を標準形態よりも誇張した誇張形態で表示させるとともに、前記複数の画像のうちの他の画像を前記標準形態で表示させるための複数種類の表示レイアウトを記憶したレイアウト記憶手段と、
前記見開きページ部単位毎に、前記複数種類の表示レイアウトのそれぞれについて、該表示レイアウトの好感性の度合いを示す値と、前記表示レイアウトを適用したときに誇張形態で表示される各画像についての前記付帯情報から求めた前記誇張形態での表示の適合性の度合いを示す値とを用いた演算により、前記表示レイアウトを適用して前記複数の画像を表示した場合の画像表示の好適性の度合いを示す値を求める好適性度合取得手段と、
前記複数種類の表示レイアウトのうち、前記好適性の値が最大となる表示レイアウトを選択する表示レイアウト選択手段と、
前記選択した表示レイアウトを前記見開きページ部単位に適用して、前記複数の画像を前記見開きページ部単位に表示させる表示制御手段とを備えたことを特徴とするインデックスアルバム冊子作成装置。
【請求項２】
前記誇張形態が、前記標準形態より画像を大きく表示させる形態であることを特徴とする請求項１記載のインデックスアルバム冊子作成装置。
【請求項３】
前記表示レイアウトが、前記見開きページ部単位を構成する各見開きページ部について、該見開きページ部を構成する一方のページ部に誇張形態で表示させる画像の数と前記見開きページ部を構成する他方のページ部に誇張形態で表示させる画像の数とが互に一致するものであることを特徴とする請求項１または２記載のインデックスアルバム冊子作成装置。
ものである
【請求項４】
前記表示レイアウトが、前記見開きページ部単位を構成する各見開きページ部について、該見開きページ部を構成する一方のページ部に表示させる画像の数と前記見開きページ部を構成する他方のページ部に表示させる画像の数とが互に一致するものであることを特徴とする請求項１から３のいずれか１項記載のインデックスアルバム冊子作成装置。
【請求項５】
画像および該画像の付帯情報を含む撮影画像情報が複数供給され、該供給された複数の撮影画像情報が担持する各画像を、１つ以上の見開きページ部に亘って予め定められた表示順に一覧表示してインデックスアルバム冊子を作成するインデックスアルバム冊子作成方法であって、
前記１つ以上の見開きページ部に含まれる所定数の見開きページ部からなる見開きページ部単位に表示させる複数の画像のうちの所定数の画像を標準形態よりも誇張した誇張形態で表示させるとともに、前記複数の画像のうちの他の画像を前記標準形態で表示させるための複数種類の表示レイアウトを記憶させておき、
前記見開きページ部単位毎に、前記複数種類の表示レイアウトのそれぞれについて、該表示レイアウトの好感性の度合いを示す値と、前記表示レイアウトを適用したときに誇張形態で表示される各画像についての前記付帯情報から求めた前記誇張形態での表示の適合性の度合いを示す値とを用いた演算により、前記表示レイアウトを適用して前記複数の画像を表示した場合の画像表示の好適性の度合いを示す値を求め、
前記複数種類の表示レイアウトのうち、前記好適性の値が最大となる表示レイアウトを選択し、
前記選択した表示レイアウトを前記見開きページ部単位に適用して、前記複数の画像を前記見開きページ部単位に表示させることを特徴とするインデックスアルバム冊子作成方法。
【請求項６】
画像および該画像の付帯情報を含む撮影画像情報が複数供給され、該供給された複数の撮影画像情報が担持する各画像を、１つ以上の見開きページ部に亘って予め定められた表示順に一覧表示してインデックスアルバム冊子を作成するインデックスアルバム冊子作成方法をコンピュータに実行させるためのプログラムであって、
前記１つ以上の見開きページ部に含まれる所定数の見開きページ部からなる見開きページ部単位に表示させる複数の画像のうちの所定数の画像を標準形態よりも誇張した誇張形態で表示させるとともに、前記複数の画像のうちの他の画像を前記標準形態で表示させるための複数種類の表示レイアウトを記憶させる手順と、
前記見開きページ部単位毎に、前記複数種類の表示レイアウトのそれぞれについて、該表示レイアウトの好感性の度合いを示す値と、前記表示レイアウトを適用したときに誇張形態で表示される各画像についての前記付帯情報から求めた前記誇張形態での表示の適合性の度合いを示す値とを用いた演算により、前記表示レイアウトを適用して前記複数の画像を表示した場合の画像表示の好適性の度合いを示す値を求める手順と、
前記複数種類の表示レイアウトのうち、前記好適性の値が最大となる表示レイアウトを選択する手順と、
前記選択した表示レイアウトを前記見開きページ部単位に適用して、前記複数の画像を前記見開きページ部単位に表示させる手順とをコンピュータに実行させるためのプログラム。
【発明の詳細な説明】
【技術分野】
【０００１】
本発明は、供給された撮影画像情報が担持する画像を複数のページ部に亘って予め定められた表示順に一覧表示してインデックスアルバム冊子を作成するインデックスアルバム冊子作成方法および装置ならびにインデックスアルバム冊子作成方法をコンピュータに実行させるためのプログラムに関するものである。
【背景技術】
【０００２】
従来より、デジタルカメラ等で撮影し記録媒体に記録した多数の画像を上記記録媒体から読み出して一枚のプリント用紙上に撮影順に一覧表示してなるインデックスプリントが知られている（特許文献１参照）。上記インデックスプリントには、上記記録媒体に記録した画像の全てが撮影順に表示されるので、例えば気に入った画像を選択して大判サイズでプリント注文する際に利用することができる。
【０００３】
また、各画像を、見開きページを有する書籍のような形態で一覧表示してなるインデックスアルバム冊子も検討されている。このようなインデックスアルバム冊子は上記インデックッスプリントとは異なり複数のページに亘って画像を一覧表示させるものであり、各ページ部中には複数の画像が表示される。
【０００４】
さらに、画像を複数のページ部に亘って表示させる際に、各ページ部中の一部の画像を誇張して、例えば一部の画像を他の画像より大きく表示してインデックスアルバム冊子を見栄えの良いものにする検討も行なわれている。
【特許文献１】特開２００５-１１９０８３号公報
【発明の開示】
【発明が解決しようとする課題】
【０００５】
ところで、単に各ページ部中において一部の画像を他の画像より誇張して表示しただけでは、ページ順に各ページ部を見たときに単調な表示に感じられることがある。例えば、ページ部の左上の領域に他の画像より大きく拡大した大判サイズの画像（誇張した画像）を表示したページが続いたり、あるいは、そのようなページがインデックスアルバム冊子のはじめの方に集中して表示されるような場合には上記誇張した表示を単調な表示と感じることがある。
【０００６】
このような場合には、誇張表示の効果が十分に得られないことがあるため、上記のようにインデックスアルバム冊子中の画像の表示が単調になるのを防ぎ誇張表示の効果の低下を抑制したいという要請がある。
【０００７】
本発明は、上記事情に鑑みてなされたものであり、インデックスアルバム冊子における画像の表示品質の低下を抑制することができるインデックスアルバム冊子作成方法および装置ならびにインデックスアルバム冊子作成方法をコンピュータに実行させるためのプログラムを提供することを目的とするものである。
【課題を解決するための手段】
【０００８】
本発明のインデックスアルバム冊子作成装置は、画像およびその画像の付帯情報を含む撮影画像情報が複数供給され、この供給された複数の撮影画像情報が担持する各画像を、１つ以上の見開きページ部に亘って予め定められた表示順に一覧表示してインデックスアルバム冊子を作成するインデックスアルバム冊子作成装置であって、１つ以上の見開きページ部に含まれる所定数の見開きページ部からなる見開きページ部単位に表示させる複数の画像のうちの所定数の画像を標準形態よりも誇張した誇張形態で表示させるとともに、前記複数の画像のうちの他の画像を前記標準形態で表示させるための複数種類の表示レイアウトを記憶したレイアウト記憶手段と、見開きページ部単位毎に、前記複数種類の表示レイアウトのそれぞれについて、その表示レイアウトの好感性の度合いを示す値と、その表示レイアウトを適用したときに誇張形態で表示される各画像についての前記付帯情報から求めた前記誇張形態での表示の適合性の度合いを示す値とを用いた演算により、前記表示レイアウトを適用して前記複数の画像を表示した場合の画像表示の好適性の度合いを示す値を求める好適性度合取得手段と、複数種類の表示レイアウトのうち、好適性の値が最大となる表示レイアウトを選択する表示レイアウト選択手段と、選択した表示レイアウトを見開きページ部単位に適用して、複数の画像を前記見開きページ部単位に表示させる表示制御手段とを備えたことを特徴とするものである。
【０００９】
前記誇張形態は、標準形態より画像を大きく表示させる形態とすることができる。
【００１０】
前記表示レイアウトは、見開きページ部単位を構成する各見開きページ部について、見開きページ部の一方のページ部に誇張形態で表示させる画像の数と上記見開きページ部の他方のページ部に誇張形態で表示させる画像の数とが互に一致するものとすることができる。
【００１１】
前記表示レイアウトは、見開きページ部単位を構成する各見開きページ部について、見開きページ部のそれぞれを構成する一方のページ部に表示させる画像の数と上記見開きページ部を構成する他方のページ部に表示させる画像の数とが互に一致するものとすることができる。
【００１２】
本発明のインデックスアルバム冊子作成方法は、画像およびその画像の付帯情報を含む撮影画像情報が複数供給され、この供給された複数の撮影画像情報が担持する各画像を、１つ以上の見開きページ部に亘って予め定められた表示順に一覧表示してインデックスアルバム冊子を作成するインデックスアルバム冊子作成方法であって、１つ以上の見開きページ部に含まれる所定数の見開きページ部からなる見開きページ部単位に表示させる複数の画像のうちの所定数の画像を標準形態よりも誇張した誇張形態で表示させるとともに、前記複数の画像のうちの他の画像を前記標準形態で表示させるための複数種類の表示レイアウトを記憶させておき、見開きページ部単位毎に、複数種類の表示レイアウトのそれぞれについて、その表示レイアウトの好感性の度合いを示す値と、その表示レイアウトを適用したときに誇張形態で表示される各画像についての前記付帯情報から求めた前記誇張形態での表示の適合性の度合いを示す値とを用いた演算により、前記表示レイアウトを適用して複数の画像を表示した場合の画像表示の好適性の度合いを示す値を求め、複数種類の表示レイアウトのうち、前記好適性の値が最大となる表示レイアウトを選択し、選択した表示レイアウトを見開きページ部単位に適用して、複数の画像を前記見開きページ部単位に表示させることを特徴とするものである。
【００１３】
本発明の、インデックスアルバム冊子作成方法をコンピュータに実行させるためのプログラムは、画像およびその画像の付帯情報を含む撮影画像情報が複数供給され、この供給された複数の撮影画像情報が担持する各画像を、１つ以上の見開きページ部に亘って予め定められた表示順に一覧表示してインデックスアルバム冊子を作成するインデックスアルバム冊子作成方法をコンピュータに実行させるためのプログラムであって、１つ以上の見開きページ部に含まれる所定数の見開きページ部からなる見開きページ部単位に表示させる複数の画像のうちの所定数の画像を標準形態よりも誇張した誇張形態で表示させるとともに、前記複数の画像のうちの他の画像を前記標準形態で表示させるための複数種類の表示レイアウトを記憶させる手順と、見開きページ部単位毎に、複数種類の表示レイアウトのそれぞれについて、その表示レイアウトの好感性の度合いを示す値と、その表示レイアウトを適用したときに誇張形態で表示される各画像についての前記付帯情報から求めた前記誇張形態での表示の適合性の度合いを示す値とを用いた演算により、前記表示レイアウトを適用して前記複数の画像を表示した場合の画像表示の好適性の度合いを示す値を求める手順と、複数種類の表示レイアウトのうち、好適性の値が最大となる表示レイアウトを選択する手順と、選択した表示レイアウトを見開きページ部単位に適用して、前記複数の画像を見開きページ部単位に表示させる手順とを実行することを特徴とするものである。
【００１４】
前記所定数の見開きページ部は、１つの見開きページ部、または連続する複数の見開きページ部を意味するものである。
【００１５】
前記他の画像は、所定数の見開きページ部からなる見開きページ部単位に表示させる複数の画像のうちの誇張形態で表示させる画像を除いた残りの画像である。
【００１６】
前記表示順は撮影順とすることができる。なお、この撮影順は撮影画像情報が示す各画像の撮影時期の時系列順である。
【００１７】
各画像の各見開きページ部への表示順での表示は、各画像を表示する領域の重心位置を基準にして各画像を表示順に表示したり、あるいは各画像を表示する領域が長方形形状の場合には上記画像を表示する領域の左上角部あるいは右上角部を基準にして各画像を表示順に表示することができる。
【００１８】
前記画像の各見開きページ部への表示は、画像を印刷して表示する方式や、画像を感光材料上に露光しその感光材料を現像して表示する方式を採用することができる。
【００１９】
前記表示レイアウトの好感性の度合いは、レイアウト以外の他の条件が同等のときに、その表示レイアウトを採用したい度合いを意味するものである。より採用したい表示レイアウトほどその表示レイアウトの好感性の度合いは高くなる。
【００２０】
前記画像についての誇張形態での表示の適合性の度合いは、その画像を誇張形態で表示したい度合いを意味するものである。より誇張形態で表示したい画像ほどその画像に対する誇張形態での表示の適合性の度合いは高くなる。
【００２１】
前記画像表示の好適性の度合いは、表示レイアウトを適用して画像表示したときにその画像表示を採用したい度合いを意味するものである。より採用したい画像表示ほどその画像表示の好適性の度合いは高くなる。例えば、表示レイアウトを適用して画像表示したときに、上記誇張表示によってより望ましい効果が得られる画像表示ほどその画像表示の好適性の度合いが高くなるようにすることができる。
【発明の効果】
【００２２】
本発明のインデックスアルバム冊子作成方法および装置ならびにプログラムによれば、見開きページ部単位毎に、複数種類の表示レイアウトのそれぞれについて、その表示レイアウトの好感性の度合いを示す値と、付帯情報から求めた、その表示レイアウトを適用したときに誇張形態で表示される各画像についての上記誇張形態での表示の適合性の度合いを示す値とを用いた演算により、上記表示レイアウトを適用して複数の画像を表示した場合の画像表示の好適性の度合いを示す値を求め、上記複数種類の表示レイアウトのうち、好適性の値が最大となる表示レイアウトを選択し、選択した表示レイアウトを見開きページ部単位に適用して、複数の画像を見開きページ部単位に表示させるようにしたので、インデックスアルバム冊子中に画像を表示する際の誇張表示の効果の低下を防ぐことができ、インデックスアルバム冊子における画像の表示品質の低下を抑制することができる。これにより、見栄えの良いインデックスアルバム冊子をより確実に得ることができる。
【００２３】
また、標準形態を、画像を標準サイズで表示させる形態とし、誇張形態を、画像を上記標準サイズよりも大きな大判サイズで表示させる形態とすれば、より確実に誇張形態での表示を標準形態での表示よりも誇張したものとすることができる。
【発明を実施するための最良の形態】
【００２４】
以下、本発明の実施の形態について、図面を用いて説明する。図１は本発明のインデックスアルバム冊子作成方法を実施するインデックスアルバム冊子作成装置の概略構成を示すブロック図１、図２は誇張形態を画像を拡大表示する形態とした複数種類の表示レイアウトを示す図、図３は誇張形態を画像に枠を付ける形態とした複数種類の表示レイアウトを示す図、図４複数種類の表示レイアウトを適用して画像を表示させた様子を示す図、図５は各画像を複数の見開きページ部単位に亘って表示させた様子を示す図である。
【００２５】
図示の本発明のインデックスアルバム冊子作成装置１００は、外部から供給された、画像および上記画像の付帯情報を含む撮影画像情報が担持する各画像を、１つ以上の見開きページ部Ｍ１、Ｍ２、・・・に亘って予め定められた表示順に一覧表示してインデックスアルバム冊子５を作成するものである。
【００２６】
上記インデックスアルバム冊子作成装置１００は、上記１つ以上の見開きページ部Ｍ１、Ｍ２、・・・に含まれる所定数の見開きページ部からなる見開きページ部単位に表示させる複数の画像のうちの所定数の画像を標準形態よりも誇張した誇張形態で表示させるとともに、上記複数の画像のうちの他の画像を標準形態で表示させるための複数種類の表示レイアウトを記憶したレイアウト記憶部１０と、上記見開きページ部単位毎に、上記複数種類の表示レイアウトのそれぞれについて、上記表示レイアウトの好感性の度合いを示す値であるレイアウト好感性値と、上記付帯情報から求めた、上記表示レイアウトを適用したときに誇張形態で表示される各画像についての上記誇張形態での表示の適合性の度合いを示す値である誇張適合性値とを用いた演算により、上記表示レイアウトを適用して上記複数の画像を表示した場合の画像表示の好適性の度合いを示す値である表示好適性値を求める好適性度合取得部２０と、上記複数種類の表示レイアウトのうち、上記表示好適性値が最大となる表示レイアウトを選択する表示レイアウト選択部３０と、上記選択した表示レイアウトを上記見開きページ部単位に適用して、上記複数の画像を上記１つ以上の見開きページ部Ｐ１〜Ｐｎに表示させる表示制御部４０とを備えている。
【００２７】
上記他の画像は、所定数の見開きページ部からなる見開きページ部単位に表示させる複数の画像のうちの誇張形態で表示させる画像を除いた残りの画像である。
【００２８】
上記表示順はここでは撮影順であり、この撮影順は撮影画像情報が示す各画像の撮影時期の時系列順である。
【００２９】
上記撮影画像情報が担持する画像は被写体を撮影して得られたものである。
【００３０】
上記付帯情報は上記撮影画像情報が担持する画像を含むものとしてもよい。
【００３１】
各画像の各ページ部への表示順での表示は、各画像を表示する領域の重心位置を基準にして各画像の表示順での表示を行なったり、あるいは各画像を表示する領域が長方形形状の場合には上記画像を表示する領域の左上角部や右上角部等を基準にして各画像の表示順での表示を行なうことができる。ここでは、後述するように、各画像を表示する領域が長方形形状であるので上記画像を表示する領域の左上角部を基準にして各画像の撮影順での表示を行なう。
【００３２】
上記各画像の表示制御部４０による表示は、画像を印刷して表示する方式や、画像を感光材料上に露光しその感光材料を現像して表示する方式を採用することができる、ここでは、画像を印刷して表示するものとする。
【００３３】
上記インデックスアルバム冊子作成装置１００の外部には、デジタルカメラ等で被写体を撮影して得られた各画像と上記各画像の付帯情報を含む撮影画像情報が記録されたリムーバブル記録メディアやＣＤ-ＲＯＭ等からなる記録媒体８９から上記撮影画像情報を入力する入力部８１と、上記入力部８１から撮影画像情報を入力し記憶するハードディスクである画像情報記憶部８２と、画像情報記憶部８２から付帯情報を入力し上記付帯情報に基づいて各画像の誇張形態での表示の適合性の度合いを示す誇張適合性値を読み取る誇張適合性値設定部８５とが備えられている。
【００３４】
上記レイアウト記憶部１０には、１例として、３種類の表示レイアウトＬ１，Ｌ２、Ｌ３と、各表示レイアウトＬ１，Ｌ２、Ｌ３それぞれの好感性の度合いを示すレイアウト好感性値Ｋ１，Ｋ２、Ｋ３とが対応付けられて記憶されている。
【００３５】
より詳しくは、図２（ａ）、（ｂ）、（ｃ）に示すように、レイアウト記憶部１０は、所定数の見開きページである１つの見開きページからなる見開きページ部単位に表示させる１８個の画像のうちの、所定数の画像である２つの画像を標準形態よりも誇張した誇張形態で表示させるとともに、上記１８個の画像のうちの他の画像を上記標準形態で表示させるための３種類の表示レイアウトＬ１、Ｌ２，Ｌ３のそれぞれを記憶している。
【００３６】
ただし、表示レイアウトは上記のような場合に限るものではなく、また、見開きページ部単位は１つの見開きページからなるものであってもよいし、複数の見開きページからなるものであってもよい。例えば、見開きページ部単位は２つの見開きページからなるものであってもよいし、３つの見開きページからなるもの等とすることができる。
【００３７】
なお、上記他の画像は、１つの見開きページ部に表示させる１８個の画像のうちの誇張形態で表示させる２つの画像を除いた残りの１６個の画像であり、上記１６の画像が標準形態で表示される。
【００３８】
より具体的には、表示レイアウトＬ１、Ｌ２，Ｌ３のそれぞれは、１つの見開きページ部からなる見開きページ部単位に表示させる１８個の画像Ｇ１〜Ｇ１８や、画像Ｇ１９〜Ｇ３６を撮影順に表示させるためのものであり、誇張形態で表示させる画像は、標準形態として表示される標準サイズの画像より大きな大判サイズで表示させるものである。以後、標準形態を標準サイズ、誇張形態を大判サイズともいう。
【００３９】
なお、上記のように、誇張形態で表示させる画像を標準形態で表示させる画像よりも大きく表示する場合に限らない。上記誇張形態は、標準形態よりも目視において目立つように画像を表示させる形態であればどのような形態であってもよく、例えば、図３に示すように、誇張形態で表示させる画像を枠付きで表示させ標準形態で表示させる画像を枠無しで表示させるようにした表示レイアウトＬｗ１、Ｌｗ２，Ｌｗ３等を採用してもよい。
【００４０】
また、上記撮影順は、例えば、１８個の画像Ｇ１〜Ｇ１８については（画像Ｇ１、画像Ｇ２・・・画像Ｇ１８の順番）に、また、１８個の画像Ｇ１９〜Ｇ３６については（画像Ｇ１９、画像Ｇ２０・・・画像Ｇ３６の順番）である。
【００４１】
なお、図２（ａ）、（ｂ）、（ｃ）、および図３（ａ）、（ｂ）、（ｃ）中の画像を表示させる枠内に示す番号は、表示レイアウトを適用して画像を表示させるときの順番である。
【００４２】
また、上記表示順である撮影順での表示は、見開きページ部を構成する各ページ部毎に、各ページ部のより上側（図２、３中矢印＋Ｙ方向）の位置により過去に遡った時刻に撮影された画像が表示される。なお、上記撮影順の表示は、左右方向より上下方向の優先度を高くしているので、２つの画像の左上角部の位置を上下方向（図２、３中矢印±Ｙ方向）に一致させて各画像を表示させる場合には、ページ部のより左側（図２、３中矢印＋Ｘ方向）により過去に遡った時刻に撮影された画像が表示される。
【００４３】
換言すれば、撮影順の表示は、ページ部のより下側（図２、３中矢印-Ｙ方向）により新しい時刻に撮影された画像の左上角部の位置を位置させるように設定されている。また、２つの画像の左上角部の位置をページ部の上下方向（図２、３中矢印±Ｙ方向）に一致させて各画像を表示させる場合にはページ部のより右側（図２、３中矢印-Ｘ方向）により新しい時刻に撮影された画像が表示される。
【００４４】
なお、２つの画像の左上角部の位置をページ部の上下方向（図２、３中矢印±Ｙ方向）に一致させて各画像を表示させる場合とは、目視において、２つの画像の左上角部の位置の上下関係が明確とはならないように各画像を表示させる場合をも含む。また、上記表示レイアウトＬ１，Ｌ２，Ｌ３、および表示レイアウトＬｗ１，Ｌｗ２，Ｌｗ３は、見開きページ部単位である１つの見開きページ部に１８個の画像を表示させ、この見開きページ部単位を構成する２つのページ部それぞれに同数の画像（９個の画像）を表示させるものであるが、このような場合に限らず、各ページ部に表示させる画像の数を各ページ部毎に変更するような表示レイアウトを採用してもよい。また、１つの見開きページに表示させる画像の数は１８個の場合に限るものではない。また、上記表示レイアウトは、見開きページ部単位である１つの見開きページ部に２個の画像を誇張形態で表示させ、この見開きページ部単位を構成する２つのページ部それぞれに同数の画像（１個の画像）を誇張形態で表示させるものであるが、このような場合に限らず、各ページ部に誇張形態で表示させる画像の数を各ページ部毎に変更するような表示レイアウトを採用してもよい。
【００４５】
一方、上記レイアウト記憶部１０には、さらに、各表示レイアウトＬ１，Ｌ２，Ｌ３それぞれの好感性の度合いを示すレイアウト好感性値Ｋ１、Ｋ２、Ｋ３が上記各表示レイアウトに対応付けて記憶されている。
【００４６】
上記レイアウト好感性値は、例えば、表示レイアウトの単調さが低減されるほど大きな値となるように予め定められたものとすることができる。ここでは、表示レイアウトＬ１のレイアウト好感性値Ｋ１＝１０、表示レイアウトＬ２のレイアウト好感性値Ｋ２＝６、表示レイアウトＬ３のレイアウト好感性値Ｋ３＝１である。すなわち、表示レイアウトＬ１，Ｌ２，Ｌ３の順番に、より単調なレイアウトとなる。
【００４７】
ここで、表示レイアウト中の各ページ部毎の表示レイアウトのそれぞれが互に類似しているほど表示レイアウトが単調であると評価され、そのような表示レイアウトにはレイアウト好感性値として小さな値が与えられる。
【００４８】
例えば、左右のページ部それぞれのレイアウトが一致する表示レイアウトＬ３のレイアウト好感性値は、左右のページ部それぞれのレイアウトが一致しない表示レイアウトＬ１やＬ２のレイアウト好感性値よりもその値が小さくなる。
【００４９】
なお、表示レイアウトの好感性は、上記単調さを示す場合に限らない。レイアウト以外の他の条件が同等であれば、より採用したい表示レイアウトの方がより好感性の度合いの高い表示レイアウトとなる。すなわち、より採用したい表示レイアウトほどその表示レイアウトのレイアウト好感性値が大きくなるように設定される。
【００５０】
図４（ａ）、（ｂ）、（ｃ）は、表示レイアウトＬ１、Ｌ２、Ｌ３を適用して画像Ｇ１〜画像Ｇ１８を表示させたときの様子を示す図である。
【００５１】
図４（ａ）に示すように、表示レイアウトＬ１を適用した画像Ｇ１〜画像Ｇ１８の表示では、２つの画像Ｇ１と画像Ｇ１７が大判サイズで表示され、残りの画像Ｇ２〜画像Ｇ１６および画像Ｇ１８が標準サイズで表示される。
【００５２】
また、図４（ｂ）に示すように、表示レイアウトＬ２を適用した画像Ｇ１〜画像Ｇ１８の表示では、画像Ｇ４と画像Ｇ１１の２つの画像が大判サイズで表示され、残りの画像Ｇ１〜画像Ｇ３、画像Ｇ５〜画像Ｇ１０、および画像Ｇ１２〜画像Ｇ１８が標準サイズで表示される。
【００５３】
また、図４（ｃ）に示すように、表示レイアウトＬ３を適用した画像Ｇ１〜画像Ｇ１８の表示では、画像Ｇ１と画像Ｇ１０の２つの画像が大判サイズで表示され、残りの画像Ｇ２〜画像Ｇ９、画像Ｇ１１〜画像Ｇ１８が標準サイズで表示される。
【００５４】
以下、上記インデックスアルバム冊子作成装置１００によりインデックスアルバム冊子５を作成する作用について説明する。
【００５５】
はじめに、誇張適合性値設定部８５が、画像情報記憶部８２から各画像Ｇ１，Ｇ２・・・の付帯情報を入力し上記付帯情報に基づいて各画像Ｇ１，Ｇ２・・の誇張形態での表示の適合性の度合いを示す誇張適合性値Ｔ１、Ｔ２・・・のそれぞれを読み取る。
【００５６】
より具体的には、上記誇張適合性値設定部８５は、付帯情報に基づいて誇張形態で表示するに相応しいと思われる画像ほどその画像に対する誇張適合性値に大きな値を与える。この誇張適合性値設定部８５は、１例として、各画像に含まれる人の顔の数を付帯情報から得、人の顔を含まない画像よりも人の顔を含む画像に対してより大きな誇張適合性値を与え、さらに、人の顔をより多く含む画像ほどその画像に対してより大きな誇張適合性値を与える。
【００５７】
次に、好適性度合取得部２０が、レイアウト記憶部１０から、表示レイアウトＬ１，Ｌ２、Ｌ３を示す表示レイアウト情報および上記表示レイアウトＬ１，Ｌ２、Ｌ３に対応するレイアウト好感性値Ｋ１，Ｋ２，Ｋ３を入力する。
【００５８】
つづいて、この好適性度合取得部２０は、上記表示レイアウトＬ１を示す表示レイアウト情報から、この表示レイアウトが１８個の画像を表示させること、および、誇張形態で表示される画像の表示順が１番目と１７番目であることを認識する。これにより、好適性度合取得部２０は、上記表示レイアウトＬ１を適用したときに誇張形態で表示される２つの画像Ｇ１、Ｇ１７に対応する誇張適合性値Ｔ１、Ｔ１７を、誇張適合性値設定部８５から入力する。なお、上記画像Ｇ１は人を１人含む画像であり、画像Ｇ１に対応する誇張適合性値Ｔ１の値は３（Ｔ１＝３）である。また、上記画像Ｇ１７は人を含まない画像であり、画像Ｇ１７に対応する誇張適合性値Ｔ１７の値は０（Ｔ１７＝０）である。
【００５９】
その後、上記好適性度合取得部２０が、インデックスアルバム冊子用原紙５′中の始めの１つの見開きページ部Ｍ１からなる見開きページ部単位Ｕａに表示レイアウトＬ１を適用したときの表示好適性値Ｓ（Ｕａ、Ｌ１）を求める。すなわち、始めの見開きページ部単位Ｕａである、ページ部Ｐ１、ページ部Ｐ２からなる見開きページ部Ｍ１に対し表示レイアウトＬ１を適用して上記画像Ｇ１〜Ｇ１８を表示させたときの画像表示の好適性の度合いを示す表示好適性値Ｓ（Ｕａ、Ｌ１）を求める。
【００６０】
具体的には次の式により、表示好適性値Ｓ（Ｕａ、Ｌ１）の値を求める。Ｓ（Ｕａ、Ｌ１）＝ε×Ｋ１+δ×（Ｔ１+Ｔ１８）、ここで、εは表示レイアウトの好感性に対する重みづけ係数、δは誇張適合性に対する重みづけ係数である。上記係数ε、δの値は、１つのアルバム冊子を作成中には変更しない定数である。
【００６１】
なお、上記表示好適性値を求める式として、Ｓ（Ｕａ、Ｌ１）＝α×Ｋ１+δ×（β×Ｔ１+γ×Ｔ１８）を採用することもできる。ここで、βは見開きページ部の前半のページ部に対する重みづけ係数、γは見開きページ部の後半のページ部に対する重みづけ係数である。すなわち、上記好適性の度合いを示す表示好適性値を、表示レイアウトの好感性の度合いを示すレイアウト好感性値と、見開きページ部の一方のページ部に誇張形態で表示される各画像についての適合性の度合いを示す誇張適合性値の積算値と、上記見開きページ部の他方のページ部に誇張形態で表示される各画像の適合性の度合いを示す誇張適合性値の積算値との重み付け加算により求めるようにしてもよい。
【００６２】
なお、上記重みづけ係数等は、表示レイアウトを適用して画像表示したときに、より採用したい画像表示ほど（より具体的には、誇張表示によってより望ましい効果が得られる画像表示ほど）、上記好適性の度合いを示す表示好適性値が大きくなるように設定される。
【００６３】
上記のようにして、ページ部Ｐ１、ページ部Ｐ２で構成される見開きページ部単位Ｕａに表示レイアウトＬ１を適用して画像Ｇ１〜Ｇ１８を表示させたときの表示好適性値Ｓ（Ｕａ、Ｌ１）を求めることができる。
【００６４】
次に、好適性度合取得部２０は、表示レイアウトＬ２を示す表示レイアウト情報から、この表示レイアウトが１８個の画像を表示させること、および、誇張形態で表示される画像の表示順が４番目と１１番目であることを認識する。これにより、好適性度合取得部２０は、上記表示レイアウトＬ２を適用したときに誇張形態で表示される２つの画像Ｇ４、Ｇ１１に対応する誇張適合性値Ｔ４、Ｔ１１を誇張適合性値設定部８５から入力する。なお、上記画像Ｇ４は人を５人含む画像であり、画像Ｇ４に対応する誇張適合性値Ｔ４の値は８（Ｔ４＝８）である。上記画像Ｇ１１は人を２人含む画像であり、画像Ｇ１１に対応する誇張適合性値Ｔ１１の値は５（Ｔ１１＝５）である。
【００６５】
そして、上記と同様に、ページ部Ｐ１、ページ部Ｐ２で構成される見開きページ部単位Ｕａに表示レイアウトＬ２を適用して画像Ｇ１〜Ｇ１８を表示させたときの表示好適性値Ｓ（Ｕａ、Ｌ２）を求める。表示好適性値Ｓ（Ｕａ、Ｌ２）は、Ｓ（Ｕａ、Ｌ２）＝ε×Ｋ２+δ×（Ｔ４+Ｔ１１）の式により求めることができる。
【００６６】
さらに、好適性度合取得部２０は、表示レイアウトＬ３を示す表示レイアウト情報から、この表示レイアウトが１８個の画像を表示させること、および、誇張形態で表示される画像の表示順が１番目と１０番目であることを認識し、誇張適合性値設定部８５から、上記表示レイアウトＬ３を適用したときに誇張形態で表示される２つの画像Ｇ１、Ｇ１０に対応する誇張適合性値Ｔ１、Ｔ１０を入力する。既に説明したように誇張適合性値Ｔ１の値は３（Ｔ１＝３）であり、誇張適合性値Ｔ１０の値は５（Ｔ１０＝５）である。
【００６７】
そして、上記と同様に、ページ部Ｐ１、ページ部Ｐ２で構成される見開きページ部単位Ｕａに表示レイアウトＬ３を適用して画像Ｇ１〜Ｇ１８を表示させたときの表示好適性値Ｓ（Ｕａ、Ｌ３）を求める。ここで、表示好適性値Ｓ（Ｕａ、Ｌ３）は、Ｓ（Ｕａ、Ｌ３）＝ε×Ｋ３+δ×（Ｔ１+Ｔ１０）の式により求めることができる。
【００６８】
上記のようにして求められた表示レイアウトＬ１、Ｌ２、Ｌ３のそれぞれに対応する表示好適性値Ｓ（Ｕａ、Ｌ１）、Ｓ（Ｕａ、Ｌ２）、Ｓ（Ｕａ、Ｌ３）は、表示レイアウト選択部３０に入力される。
【００６９】
表示レイアウト選択部３０は、３種類の表示レイアウトＬ１、Ｌ２，Ｌ３のうち、表示好適性値が最大となる表示レイアウトを選択する。
【００７０】
ここで、
Ｓ（Ｕａ、Ｌ１）＝ε×Ｋ１+δ×（Ｔ１+Ｔ１８）
Ｓ（Ｕａ、Ｌ２）＝ε×Ｋ２+δ×（Ｔ４+Ｔ１１）
Ｓ（Ｕａ、Ｌ３）＝ε×Ｋ３+δ×（Ｔ１+Ｔ１０）
ε＝２１、δ＝３
Ｋ１＝１０、Ｋ２＝５、Ｋ３＝２
Ｔ１＝３，Ｔ４＝８、Ｔ１０＝５、Ｔ１７＝０
したがって、Ｓ（Ｕａ、Ｌ１）＝２９、Ｓ（Ｕａ、Ｌ２）＝４９、Ｓ（Ｕａ、Ｌ３）＝２８であり、Ｓ（Ｕａ、Ｌ２）＞Ｓ（Ｕａ、Ｌ１）＞Ｓ（Ｕａ、Ｌ３）となる。
【００７１】
表示レイアウト選択部３０は、３種類の表示レイアウトＬ１、Ｌ２，Ｌ３のうち、最大の表示好適性値を持つ上記Ｓ（Ｕａ、Ｌ２）に対応する表示レイアウトＬ２を選択する。
【００７２】
つづいて、表示レイアウト選択部３０が、見開きページ部単位Ｕ１に画像Ｇ１〜Ｇ１８を表示させる際の表示レイアウトとして表示レイアウトＬ２を選択したことを示す情報を表示制御部４０へ入力する。
【００７３】
表示制御部４０は、この表示制御部４０の一部を成す冊子印刷部４２を制御して、表示レイアウトＬ２を見開きページ部単位Ｕａに適用して、画像Ｇ１〜Ｇ１８を上記見開きページ部単位Ｕａに印刷する。すなわち、表示制御部４０の制御により、この表示制御部４０の一部を成す冊子印刷部４２が、インデックスアルバム冊子用原紙５′中の見開きページ部単位Ｕａであるページ部Ｐ１，Ｐ２（見開きページＭ１でもある）に対して表示レイアウトＬ２を適用し、画像Ｇ１〜Ｇ１８を上記ページ部Ｐ１，Ｐ２に印刷する。
【００７４】
図５に示すように、上記と同様に、インデックスアルバム冊子用原紙５′中のページ部Ｐ３，Ｐ４（見開きページＭ２でもある）で構成される見開きページ部単位Ｕｂに対して、表示レイアウトＬ１〜Ｌ３のうちの上記表示レイアウト選択部３０で選択された表示レイアウト、例えば表示レイアウトＬ１を適用して画像Ｇ１９〜Ｇ３６を印刷する。
【００７５】
上記のように、見開きページ部単位Ｕａ、Ｕｂ、Ｕｃ・・・のそれぞれに対し、表示レイアウトＬ１〜Ｌ３のうちの上記表示レイアウト選択部３０で選択された各表示レイアウトを適用して画像Ｇ１〜Ｇ１８、画像Ｇ１９〜Ｇ３６、画像Ｇ３７〜Ｇ５４、・・・を順次インデックスアルバム冊子用原紙５′中に印刷してインデックスアルバム冊子５を作成する。
【００７６】
上記のことにより、インデックスアルバム冊子中に画像を表示する際の誇張表示の効果の低下を防ぐことができ、インデックスアルバム冊子における画像の表示品質の低下を抑制することができる。これにより、見栄えの良いインデックスアルバム冊子をより確実に作成することができる。
【００７７】
なお、見開きページ部単位は上記のように１つの見開きページから構成されるものである場合に限らず連続する複数の見開きページ部から構成される場合であっても良い。
【００７８】
図６は複数の見開きページ部からなる見開きページ部単位に画像を表示させるための表示レイアウトを適用して画像を表示させた様子を示す図である。
【００７９】
上記図６に示すように、例えば、見開きページ部単位Ｕａ′を、連続する２つの見開きページ部Ｍ１、Ｍ２（連続する４つのページ部Ｐ１，Ｐ２，Ｐ３，Ｐ４でもある）からなるものに定め、見開きページ部単位Ｕｂ′を、連続する２つの見開きページ部Ｍ３、Ｍ４（連続する４つのページ部Ｐ５，Ｐ６，Ｐ７，Ｐ８でもある）からなるものに定め、以下同様に見開きページ部単位Ｕａ′、Ｕｂ′、Ｕｃ′・・・を定める。そして、上記見開きページ部単位に表示させる、例えば３６個の画像のうち４つの画像を誇張形態で表示させるとともに、３６個の画像のうちから上記４つの画像を除いた３２個の他の画像を標準形態で表示させるための例えば４種類の表示レイアウトＬ１′、Ｌ２′、Ｌ３′、Ｌ４′を用意して、上記と同様の手法により、インデックスアルバム冊子用原紙５′中に各画像を印刷するようにしてもよい。
【００８０】
すなわち、好適性度合取得部２０により、見開きページ部単位Ｕａ′、Ｕｂ′、Ｕｃ′・・・毎に、４種類の表示レイアウトＬ１′、Ｌ２′、Ｌ３′、Ｌ４′それぞれを適用して画像を表示した場合の表示好適性値を求める。次に、表示レイアウト選択部３０により、見開きページ部単位Ｕａ′、Ｕｂ′、Ｕｃ′・・・毎に、上記４種類の表示レイアウトＬ１′、Ｌ２′、Ｌ３′、Ｌ４′のうち、好適性が最大となる表示レイアウトを選択する。
【００８１】
そして、表示制御部４０により、上記見開きページ部単位Ｕａ′、Ｕｂ′、Ｕｃ′・・・毎に選択した表示レイアウトＬ１′、Ｌ４′、Ｌ２′・・・を上記見開きページ部単位Ｕａ′、Ｕｂ′、Ｕｃ′・・・に適用して、記録媒体８９から供給された各画像をインデックスアルバム冊子用原紙５′中の見開きページ部Ｍ１，Ｍ２・・・に印刷してインデックスアルバム冊子５を作成するようにしてもよい。
【００８２】
なお、上記好適性度合取得部は、上記表示好適性値を、レイアウト好感性値と、見開きページ部の一方のページ部に誇張形態で表示される各画像それぞれの誇張適合性値の積算値と、上記見開きページ部の他方のページ部に誇張形態で表示される各画像それぞれの誇張適合性値の積算値とを重み付け加算して求めるものとしてもよい。
【００８３】
すなわち、上述のように、見開きページ部単位Ｕ′に、表示レイアウトＬ′を適用したときの表示好適性値Ｓ（Ｕ′、Ｌ′）を求める式を、Ｓ（Ｕ′、Ｌ′）＝α×Ｋ′+δ×（β×Ｔｑ+γ×Ｔｒ）、βは見開きページ部の前半のページ部についての係数、γは見開きページ部の後半のページ部についての係数とすることもできる。
【００８４】
また、上記表示レイアウトは、見開きページ部を構成する一方のページ部に誇張形態で表示させる画像の数と上記見開きページ部を構成する他方のページ部に誇張形態で表示させる画像の数とを互に一致させるものでなくともよい。さらに、上記表示レイアウトは、見開きページ部を構成する一方のページ部に表示させる画像の数と上記見開きページ部を構成する他方のページ部に表示させる画像の数とを互に一致させるものでなくともよい。
【００８５】
上記付帯情報を人の顔を表す画像を含むものとし、誇張適合性値設定部は、画像を表す全領域の大きさに対するこの画像に含まれる人の顔を表す領域の大きさの比率が大きいほどその画像に対する誇張適合性値を大きくするものとしてもよい。
【００８６】
上記付帯情報をプリント注文枚数を含むものとし、誇張適合性値設定部は、プリント注文枚数の多い画像ほどその画像の誇張適合性値を大きくするものとしてもよい。
【００８７】
上記のように、本発明によれば、表示品質をより高めたインデックスアルバム冊子を作成することができる。
【００８８】
なお、本発明のインデックスアルバム冊子作成装置の機能を実行するためのプログラムをパソコンにインストールし、パソコンにより上記実施形態と同様にインデックスアルバム冊子の作成を行なうことが可能である。
【図面の簡単な説明】
【００８９】
【図１】本発明のインデックスアルバム冊子作成装置の概略構成を示すブロック図
【図２】誇張形態を画像を拡大表示した形態とした複数種類の表示レイアウトを示す図
【図３】誇張形態を画像に枠を付けた形態とした複数種類の表示レイアウトを示す図
【図４】各表示レイアウトを適用して画像を表示させた様子を示す図
【図５】各画像を複数の見開きページ部単位に亘って表示させた様子を示す図
【図６】複数の見開きページ部からなる見開きページ部単位に画像を表示させるための表示レイアウトを適用して上記画像を表示させた様子を示す図
【符号の説明】
【００９０】
５    インデックスアルバム冊子
５′    インデックスアルバム冊子用原紙
１０    レイアウト記憶部
２０    好適性度合取得部
３０    表示レイアウト選択部
４０    表示制御部
Ｕａ、Ｕｂ・・・    見開きページ部単位
Ｌ１、Ｌ２、Ｌ３    表示レイアウト
Ｋ１、Ｋ２、Ｋ３    レイアウト好感性値
Ｇ１，Ｇ２・・・    画像
Ｔ１、Ｔ２・・・    誇張適合性値
Ｓ    表示好適性値
【図１】
0004437999.tif 000002
【図２】
0004437999.tif 000003
【図３】
0004437999.tif 000004
【図４】
0004437999.tif 000005
【図５】
0004437999.tif 000006
【図６】
0004437999.tif 000007